(57)【要約】【課題】マスクの耳ひもを眼鏡のテンプルに対して簡単かつ安定的に固定することができる耳ひも掛け具を提供する。【解決手段】眼鏡２０における一対のテンプル２２のそれぞれに取り付けて着用するマスク３０の左右の耳ひも３２のそれぞれを掛け回すための耳ひも掛け具１０は、眼鏡着用者１の横方向Ｂにおいてテンプル２２の外面２２ｂに当接させる端面１１ａを有する小径部１１と、端面１１ａとは反対側において小径部１１につながっていて小径部１１よりも大きな径を有する大径部１２とを含む本体を備えるとともに、本体をテンプル２２の前後方向Ａの所要位置に固定するための固定手段を備える。【選択図】図１
2022001898.tif 000002
【特許請求の範囲】
【請求項１】
眼鏡における一対のテンプルそれぞれに取り付けられて前記眼鏡の着用者が使用するマスクの耳ひもを掛け回すことのできる耳ひも掛け具であって、
前記眼鏡は前記着用者の顔面と後頭部とを結ぶ方向である前後方向と、両耳を結ぶ方向である横方向と、頭頂部と頸部とを結ぶ方向である上下方向とを有するとともに、使用状態にあるときの前記眼鏡の前記テンプルのそれぞれは、前記前後方向へ互いに並行して延びるとともに、前記横方向において互いに対向する内面部分と、前記内面部分の反対面である外面部分とを有するものであって、
前記耳ひも掛け具は、前記横方向において、前記テンプルの前記外面部分に当接させるための端面を有する小径部と前記端面とは反対側において前記小径部につながり前記小径部よりも大きな径を有する大径部とを含む本体を備えるとともに、前記本体を前記テンプルの前記前後方向における所要位置に固定することができる固定手段を備えていることを特徴とする前記掛け具。
【請求項２】
前記固定手段は、前記横方向において、前記小径部から前記テンプルに向かって延びていて前記小径部と一体を成す雄ねじ部であり、前記雄ねじ部は前記テンプルにおいて前記前後方向に複数形成されている雌ねじ部に対して使用される請求項１記載の掛け具。
【請求項３】
前記固定手段が前記本体とは別体に作られた雄ねじであり、前記本体には前記横方向において前記小径部と前記大径部とを貫通する透孔が形成され、前記横方向の外側から前記透孔に挿入されて前記端面から延出する前記雄ねじの先端部分は、前記テンプルにおいて前記前後方向に複数形成されている雌ねじ部のいずれかに螺合させることができる請求項１記載の掛け具。
【請求項４】
前記小径部には、前記前後方向に延びていて前記テンプルの長さ方向における一部分を嵌合させることが可能な溝部が形成されるとともに、前記固定手段として作用する雄ねじは、その先端部分が前記上下方向のいずれか一方の方向において、前記小径部の外側から前記溝部の内側にまで延びるように前記小径部に形成されているねじ穴に螺合した状態にあり、前記雄ねじを回転させることによって、前記溝部に嵌合している部分の前記テンプルを前記雄ねじの前記先端部分と前記溝部の壁面の一部分とによって挟圧し、前記本体を前記テンプルに固定することが可能である請求項１記載の掛け具。
【請求項５】
前記小径部における径方向の外側には、スリーブ状部材が前記小径部の周方向へ回転可能に取り付けられている請求項１〜４のいずれかに記載の掛け具。
【請求項６】
前記小径部および前記スリーブ状部材いずれかの外周面には、前記外周面に当接する前記耳ひもがその長さ方向において滑ることを抑制可能な凹凸模様が施されている請求項１〜５のいずれかに記載の掛け具。
【請求項７】
前記大径部における端面および周面のうちの少なくとも一方には、模様および色彩のうちの少なくとも一方が施されている請求項１〜６のいずれかに記載の掛け具。
【発明の詳細な説明】
【技術分野】
【０００１】
本発明は、眼鏡の着用者が使用するマスクの耳ひもを眼鏡のテンプルに引っ掛けることを可能にする耳ひも掛け具に関する。
【背景技術】
【０００２】
眼鏡を着用中の者が、マスクを使用しようとするときに、マスクの耳ひもを耳に引っ掛けることは通例であるが、使用中のマスクを外そうとするときには、耳ひもが眼鏡のテンプルを持ち上げて、眼鏡が顔から外れるといことがある。一方、そうしたことを未然に防ぐことのできる公知技術も存在する。
【０００３】
例えば、特開２０１４−１９７１７８号公報（特許文献１）に記載の発明は、眼鏡のフレームに関し、その発明では、眼鏡のつる（テンプル）うちで、耳にかかる部分に凹状のガイド部を設け、そのガイド部にマスクの耳ひもを通して、その耳ひもを保持する。この発明によれば、耳ひもを耳に引っ掛けた場合に生じる問題を解消することはできるが、例えば、マスクを交換して耳ひもの長さが変化した場合であってもそのマスクを顔面にフィットさせることができるというものではない。
【０００４】
また、実用新案登録第３１３６５７０号公報（特許文献２）に記載のマスクホルダーは、係止部材を使用することによって、マスクの耳ひもを眼鏡のテンプルに取り付けることができる。この発明では、眼鏡のテンプルと耳ひもとが一体となるから、耳ひもを耳に引っ掛けた場合に生じる問題を解消することはできるが、耳ひもをテンプルに取り付ける際に手間がかかるという問題がある。また、テンプルにおける耳ひもの位置が必ずしも固定されないという問題もある。
【先行技術文献】
【特許文献】
【０００５】
【特許文献１】特開２０１４−１９７１７８号公報
【特許文献２】実用新案登録第３１３６５７０号公報
【発明の概要】
【発明が解決しようとする課題】
【０００６】
前記従来の技術に鑑み、本発明が課題とするところは、着用しようとするマスクの耳ひもを眼鏡のテンプルに対して、簡単かつ安定的に固定することができる耳ひも掛け具を提供することにある。
【課題を解決するための手段】
【０００７】
前記課題を解決するために、本発明が対象とするのは、眼鏡における一対のテンプルそれぞれに取り付けられて前記眼鏡の着用者が使用するマスクの耳ひもを掛け回すことのできる耳ひも掛け具である。
【０００８】
かかる耳ひも掛け具において、本発明が特徴とするところは、次のとおりである。すなわち、前記眼鏡は前記着用者の顔面と後頭部とを結ぶ方向である前後方向と、両耳を結ぶ方向である横方向と、頭頂部と頸部とを結ぶ方向である上下方向とを有するとともに、使用状態にあるときの前記眼鏡の前記テンプルのそれぞれは、前記前後方向へ互いに並行して延びるとともに、前記横方向において互いに対向する内面部分と、前記内面部分の反対面である外面部分とを有するものである。前記耳ひも掛け具は、前記横方向において、前記テンプルの前記外面部分に当接させるための端面を有する小径部と前記端面とは反対側において前記小径部につながり前記小径部よりも大きな径を有する大径部とを含む本体を備えるとともに、前記本体を前記テンプルの前後方向における所要位置に固定することができる固定手段を備えている。
【０００９】
本発明の実施態様の一つにおいて、前記固定手段は、前記横方向において、前記小径部から前記テンプルに向かって延びていて前記小径部と一体を成す雄ねじ部であり、前記雄ねじ部は前記テンプルにおいて前記前後方向に複数形成されている雌ねじ部に対して使用される。
【００１０】
本発明の実施態様の他の一つにおいて、前記固定手段が前記本体とは別体に作られた雄ねじであり、前記本体には前記横方向において前記小径部と前記大径部とを貫通する透孔が形成され、前記横方向の外側から前記透孔に挿入されて前記端面から延出する前記雄ねじの先端部分は、前記テンプルにおいて前記前後方向に複数形成されている雌ねじ部のいずれかに螺合させることができる。
【００１１】
本発明の実施態様のさらに他の一つにおいて、前記小径部には、前記前後方向に延びていて前記テンプルの長さ方向における一部分を嵌合させることが可能な溝部が形成されるとともに、前記固定手段として作用する雄ねじは、その先端部分が前記上下方向のいずれか一方の方向において、前記小径部の外側から前記溝部の内側にまで延びるように前記小径部に形成されているねじ穴に螺合した状態にあり、前記雄ねじを回転させることによって、前記溝部に嵌合している部分の前記テンプルを前記雄ねじの前記先端部分と前記溝部の壁面の一部分とによって挟圧し、前記本体を前記テンプルに固定することが可能である。
【００１２】
本発明の実施態様のさらに他の一つにおいて、前記小径部における径方向の外側には、スリーブ状部材が前記小径部の周方向へ回転可能に取り付けられている。
【００１３】
本発明の実施態様のさらに他の一つにおいて、前記小径部および前記スリーブ状部材いずれかの外周面には、前記外周面に当接する前記耳ひもがその長さ方向において滑ることを抑制可能な凹凸模様が施されている。
【００１４】
本発明の実施態様のさらに他の一つにおいて、前記大径部における端面および周面のうちの少なくとも一方には、模様および色彩のうちの少なくとも一方が施されている。
【発明の効果】
【００１５】
本発明に係るマスクの耳ひも掛け具によれば、その耳ひも掛け具は、固定手段である雄ねじを使用して眼鏡のテンプルに固定することができるから、マスクを着用するときにその耳ひも掛け具に掛け回した耳ひもは緊張状態が安定し、マスクの顔面に対するフィット状態も安定する。
【００１６】
マスクの耳ひもはマスク着用者の後頭部に向かって弧を画いている部分を耳ひも掛け具に掛け回すようにすればよいから、マスクを着用するときの操作が容易であり、マスクを外すときには、耳ひもを耳ひも掛け具から外せばよいから、眼鏡が顔面から外れるということがない。
【００１７】
耳ひも掛け具の小径部に対してスリーブ状部材が回転可能に取り付けられている態様の本発明では、マスクを着用したときの耳ひも全体における緊張状態を調整することが容易になる。
【００１８】
耳ひも掛け具の小径部の周面に凹凸模様を施す態様の本発明では、耳ひものうちで、マスクの上方部分から耳ひも掛け具の小径部にまで延びている部分と、マスクの下方部分からその小径部にまで延びている部分との間において、耳ひもの緊張状態に差をつけることができる。
【００１９】
耳ひも掛け具の大径部における周面や端面に模様や色彩を施す態様の本発明では、掛け具の存在を第三者に対して目立たせることができる。
【図面の簡単な説明】
【００２０】
【図１】着用状態にある眼鏡とマスクの斜視図。
【図２】着用状態にある眼鏡とマスクの側面図。
【図３】眼鏡に対する耳ひも掛け具の取り付け状態を示す図と、その図の部分拡大図。
【図４】図３の部分拡大図におけるＩＶ−ＩＶ線矢視図であって、（ａ）〜（ｃ）によって耳ひも掛け具の取り付け状態を示す。
【図５】耳ひも掛け具の一態様を例示する図４（ａ）と同様な図。
【図６】耳ひも掛け具の図５とは異なる態様を例示する図４（ａ）と同様な図。
【図７】耳ひも掛け具の図５とは異なる態様を例示する図１と同様な図。
【図８】図７のＶＩＩＩ−ＶＩＩＩ線矢視図。
【図９】（ａ）〜（ｄ）によって装飾の態様を例示する耳ひも掛け具における大径部の正面図。
【発明を実施するための形態】
【００２１】
添付の図面を参照して本発明に係るマスクの耳ひも掛け具の詳細を説明すると、以下のとおりである。
【００２２】
図１は、使用状態にあるマスクの耳ひも掛け具１０（以下、掛け具１０という）を示す図であって、眼鏡２０とマスク３０との着用者１の頭部も併せて示されている。図１において、着用者１の顔面部２と後頭部３とを結ぶ方向は前後方向Ａであり、左右の耳部４を結ぶ方向は横方向Ｂであり、頸部５と頭頂部６とを結ぶ方向は上下方向Ｃである。眼鏡２０は、左右一対のレンズ部２１と、左右一対のテンプル２２とを有する。テンプル２２は、「つる」とも呼ばれる部分である。一対のテンプル２２は互いに折り重ねることのできるものであるが、図では、それらのテンプル２２が互いに並行して前後方向Ａへ延びていて、耳部４の近くに位置する部分には、掛け具１０が取り付けられている。テンプル２２にはまた、掛け具１０を取り付けるためのものであって横方向Ｂへ延びる穴部（雌ねじ部）２３が少なくとも一つ形成されている。マスク３０は、フィルタとして機能する顔面被覆部３１と、左右一対の耳ひも３２とを有する。耳ひも３２は、上下両端部３３ａ,３３ｂが顔面被覆部３１に取り付けられていて、前後方向Ａの後方に向かって弧を画くようにのびており、後端部分３４が掛け具１０に対して掛け回されている。耳ひも３２において、上端部３３ａから掛け具１０にまで延びる部分は上方部分３２ａと呼ばれ、下端部３３ｂから掛け具１０にまで延びる部分は下方部分３２ｂと呼ばれる。
【００２３】
図２は、図１における着用者１の左側頭部７を示す図であり、図１における掛け具１０に加えて、テンプル２２における掛け具１０の取り付け位置が図１のそれとは異なる場合の掛け具１０と耳ひも３２とが仮想線で示されている。
【００２４】
図１，２において明らかなように、掛け具１０が取り付けられている眼鏡２０の着用者１は、マスク３０を着用するときに、耳ひも３２を耳４ではなくて、掛け具１０に対して掛け回すことができる。また、その掛け具１０は、耳ひも３２の長さに応じて、換言すると、マスク３０を着用しようとするときに耳ひも３２が適度の緊張状態となるように、テンプル２２における取り付け位置、すなわち穴部２３を選ぶことができる。図示例において、穴部２３は雌ねじである。
【００２５】
図３は、眼鏡２０の頂面図とその部分拡大図であって、その眼鏡２０のテンプル２２のそれぞれには、掛け具１０が取り付けられている。掛け具１０は小径部１１と大径部１２とを含む本体１５を備えていて、その本体１５は後記する固定手段を使用することによって、小径部１１の端面１１ａが横方向Ｂの外側からテンプル２２の外面２２ｂに当接した状態でテンプル２２に取り付けられている。小径部１１の端面１４とテンプル２２の外面２２ｂとの間には、クリアランスＣＬがある。そのクリアランスＣＬを利用して、耳ひも３２が掛け具１０の小径部１１に掛け回される（図３の部分拡大図参照）。小径部１１よりも大きい大径部１２は、耳ひも３２が小径部１１から外れることを防いでいる。
【００２６】
図４は、図３の部分拡大図におけるＩＶ−ＩＶ線断面図であって、（ａ）〜（ｃ）によって、テンプル２２に対する掛け具１０の取り付け方法を例示している。掛け具１０の取り付け方法には様々な例があり、図４（ａ）では、掛け具１０から延びる雄ねじ部４１がテンプル２２において穴部２３として形成されている雌ねじ２３ａに螺合することによって、掛け具１０がテンプル２２の外面２２ｂに取り付けられている。図４（ｂ）では、掛け具１０に形成された貫通孔４３に挿入した雄ねじ４４をテンプル２２における雌ねじ２３ａに螺合させることによって、掛け具１０がテンプル２２に取り付けられている。図４（ｃ）では、テンプル２２の内面２２ａの側から皿ねじ４２を穴部２３に挿入し、掛け具１０のねじ穴４５に螺合させることによって掛け具１０がテンプル２２に取り付けられている。掛け具１０において、雄ねじ部４１、皿ねじ４２、雄ねじ４４は、本体１５をテンプル２２に固定するための固定手段である。
【００２７】
図５は、テンプル２２に取り付けられた掛け具１０の一態様を示す図４（ａ）と同様な図である。ただし、図５においては、掛け具１０における小径部１１の径方向の外側にスリーブ１３が存在する。また、スリーブ１３とテンプル２２の外面２２ｂとの間には平ワッシャ４６が存在する。スリーブ１３は、小径部１１を中心に自在に回転する。平ワッシャ４６は、スリーブ１３がテンプル２２の外面２２ｂに接触して回転が妨げられるという可能性がある場合に使用される。そのような可能性がない場合には、平ワッシャ４６を省いて本発明を実施することができる。図５に例示の構造を有する掛け具１０では、耳ひも３２の後端部分３４（図１参照）が平ワッシャ４６とともに掛け具１０における小径部１１の周方向へスムーズに動くことが可能で、耳ひも３２の上方部分３２ａと下方部分３２ｂ（図１参照）とを同じような緊張状態に保ことが容易になる。スリーブ１３は、図４（ｂ）、（ｃ）に例示の掛け具１０においても採用することができる。
【００２８】
図６もまた、テンプル２２に取り付けられた掛け具１０の一態様を示す図４（ａ）と同様な図である。ただし、図６の掛け具１０における小径部１１の周面には、その周面を粗面にするために、複数の凹凸４７が形成されている。凹凸４７の一例には、周面にローレット加工を施すことによって得られるものがある。凹凸４７は、小径部１１の周面に対する耳ひも３２の滑りを悪くするために採用されているもので、そのような凹凸４７を有する掛け具１０を使用することで、耳ひも３２の上方部分３２ａと下方部分３２ｂとの緊張状態に違いを付けることが容易になる。例えば、耳ひも３２では、上方部分３２ａの緊張状態を高くして、マスク３０における顔面被覆部３１の上方部分３１ａ（図２参照）を着用者１の鼻の周辺に強く密着させる一方、下方部分３２ｂの緊張状態を低くして、顔面被覆部３１の下方部分３１ｂ（図２参照）を着用者１の顎部に弱く密着させるという状態を作り出すことが可能になる。また、それとは反対に、耳ひも３２の上方部分３２ａの緊張状態を低くする一方、下方部分３２ｂの緊張状態を高くすることもできる。マスク３０の接顔状態をこのように調整することによって、マスク着用者１は、上方部分３２ａと顔面との間における吸気や排気の通過量を多くしたり、少なくしたりすることができる。下方部分３２ｂと顔面との間においても同様である。このように耳ひも３２の緊張状態を調整することができるのは、凹凸４７を有する掛け具１０の小径部１１に対して耳ひも３２が滑り難いからである。
【００２９】
図７，８において、図７は実施態様の一例を示す図１と同様な図であり、図８は図７のＶＩＩＩ−ＶＩＩＩ線矢視図である。図７における眼鏡２０とマスク３０とに対しては、上下方向Ｃの下方から操作する雄ねじ４９を備えた掛け具１０が使用されている。掛け具１０は、図８に示された構造を有するもので、大径部１２は図４におけるものと同様な外形を有するが、小径部１１の形状は、図４のそれとは異なり、上方壁１１ａと、下方壁１１ｂと、これら両壁１１ａ，１１ｂの間に形成されて前後方向Ａへ延びる溝部１１ｃとを含んでいる。溝部１１ｃは、眼鏡２０におけるテンプル２の長さ方向の一部分を収容する部位であって、横方向Ｂで見ると、大径部１２の側に底部１１ｄが形成され、テンプル２２の側に開口１１ｅが形成されていて、図示例の如くテンプル２２を収容することができる。雄ねじ４７は、下方壁１１ｂに形成されているねじ孔４８を通り、テンプル２２にまで延びている。その雄ねじ４９を下方壁１１ｂの下方から操作すると、溝部１１ｃにおいてテンプル２２を雄ねじ４９と上方壁１１ａとで挟持して、掛け具１０をテンプル２２の任意の位置に対して固定することができる。雄ねじ４９は、掛け具１０における固定手段の一例である。このような態様の掛け具１０を使用するときのテンプル２２では、掛け具１０を固定するための穴部２３（図１参照）が不要になる。この例における小径部１１は、上下方向Ｃの寸法が大径部１２の寸法よりも小さく作られているということによって、小径部と呼ばれる。
【００３０】
図９は、掛け具１０における大径部１２の正面１２ａを示す図であって、（ａ）〜（ｄ）は、その正面１２ａに施された図柄を例示している。正面１２ａは、平坦かつ無地の部分であってもよいが、眼鏡２０の着用者でもあるマスク３０の着用者の好みに合わせて装飾を施すことができる。例えば、図示例の如く正面１２ａに適宜の図柄を施したり、一部の材料を変更したり、着色を施したりすることができる。その図柄には、平面的なものの他に、立体的なものも含まれる。掛け具１０がこのような装飾によってよく目立つものになれば、自分の掛け具１０を他人のものと区別することが容易になるばかりでなく、その掛け具１０を取り付けた眼鏡２０を置き忘れるというようなトラブルの防止も期待することができる。
【符号の説明】
【００３１】
１      着用者
２      顔面
３      後頭部
４      耳部
５      頸部
６      頭頂部
１０    耳ひも掛け具（掛け具）
１１    小径部
１２    大径部
１５    本体
２０    眼鏡
２２    テンプル（つる）
２３    穴部（雌ねじ部）
３０    マスク
３１    顔面被覆部
３２    耳ひも
４１    雄ねじ部（固定手段）
４２    皿ねじ（固定手段）
４４    雄ねじ（固定手段）
４７    凹凸（凹凸模様）
４９    雄ねじ（固定手段）
Ａ      前後方向
Ｂ      横方向
Ｃ      上下方向
【図１】
2022001898.tif 000003
【図２】
2022001898.tif 000004
【図３】
2022001898.tif 000005
【図４】
2022001898.tif 000006
【図５】
2022001898.tif 000007
【図６】
2022001898.tif 000008
【図７】
2022001898.tif 000009
【図８】
2022001898.tif 000010
【図９】
2022001898.tif 000011